(57)【要約】【課題】  本発明は、フィルターにより排除すべき汚泥を、漏洩することなく確実に排除することができるとともに、そのフィルターの洗浄を容易行なえることを課題とする。【解決手段】水槽２と、該水槽内に貯留された水をろ過するろ過槽４とが水槽装置本体７に設けられ、前記ろ過槽よりも上流位置にフィルター４５が設けられ、前記水槽内に貯留された水を、前記フィルターおよびろ過槽を通過させて処理した後に水槽内に循環するように構成した活魚水槽装置において、前記水槽装置本体には、前記ろ過槽内に連通する流水部４４が設けられ、前記フィルターは、前記流水部に着脱自在に取り付けられ且つ流入開口を有する取付部４５ｃと、該取付部に開口縁部が固定され且つ可撓性を有する袋状のフィルター本体４５ａとを備えることにある。【選択図】  図１
2009011192.tif 000002
【特許請求の範囲】
【請求項１】
水槽と、該水槽内に貯留された水をろ過するろ過槽とが水槽装置本体に設けられ、前記ろ過槽よりも上流位置にフィルターが設けられ、前記水槽内に貯留された水を、前記フィルターおよびろ過槽を通過させて処理した後に水槽内に循環するように構成した活魚水槽装置において、
前記水槽装置本体には、前記ろ過槽内に連通する流水部が設けられ、前記フィルターは、前記流水部に着脱自在に取り付けられ且つ流入開口を有する取付部と、該取付部に開口縁部が固定され且つ可撓性を有する袋状のフィルター本体とを備えることを特徴とする活魚水槽装置。
【請求項２】
水槽と、該水槽内に連通する泡沫分離槽と、該泡沫分離槽で処理された水をろ過するろ過槽と、ろ過した水を再び前記水槽に循環させるポンプ槽と、循環する水を殺菌する殺菌槽とを備え、前記ろ過槽よりも上流位置にフィルターが設けられ、前記水槽内に貯留された水を、前記フィルターおよびろ過槽を通過させて処理した後に水槽内に循環するように構成した活魚水槽装置において、
前記泡沫分離槽と前記ろ過槽とは、隔壁で区画されており、該隔壁には、前記泡沫分離槽と前記ろ過槽とを連通し且つ前記泡沫分離槽内の水をろ過槽内に流入させるろ過槽流入口が形成されるとともに、該ろ過槽流入口に連通する筒状の流水部が設けられ、前記フィルターは、前記流水部に着脱自在に取り付けられ且つ流入開口を有する取付部と、該取付部に開口縁部が固定され且つ可撓性を有する袋状のフィルター本体とを備えることを特徴とする活魚水槽装置。
【請求項３】
水槽内に貯留された水を、ろ過槽を通過させて処理した後に水槽内に循環するように構成した活魚水槽装置に使用されるフィルターであって、前記活魚水槽装置のろ過槽よりも上流位置に設けられた流水部に着脱自在に取り付け可能で且つ流入開口を有する取付部と、該取付部に開口縁部が固定され且つ可撓性を有する袋状のフィルター本体とを備えることを特徴とする活魚水槽装置用のフィルター。
【発明の詳細な説明】
【技術分野】
【０００１】
本発明は、活魚水槽装置および活魚水槽装置用のフィルターに関する。
【背景技術】
【０００２】
従来、この種の活魚水槽装置は、活魚等を入れる水槽と、該水槽内に連通されたフィルター槽と、ろ材が収容されたろ過槽と、ろ過槽でろ過した水を再び水槽に循環させるポンプ槽とを備えている（例えば、特許文献１参照）。フィルター槽は、溢流管の上部より噴出する大きい汚泥（異物）を除去するマット状のフィルターを上部に敷設したものである。
【０００３】
そして、活魚水槽装置の水槽に貯留されている海水とともに、餌の食べ残しや活魚等の排泄物等の汚泥が、水槽の底部と連通するフィルター槽に入り、大きい汚泥は、このフィルター槽のフィルターで除去され、海水はろ過槽を通過して、再び水槽に循環するように構成されている。
【０００４】
また、フィルター槽を設けることなく、マット状のフィルターをろ過槽のろ材の上に直接敷設する場合もある。
【特許文献１】特開２００１−２５８４２３号公報
【発明の開示】
【発明が解決しようとする課題】
【０００５】
前記従来の活魚水槽装置は、マット状のフィルターを、フィルター槽やろ過槽のろ材の上に敷設する構成であるため、フィルターの周囲から汚泥が逃げてしまい、フィルターで汚泥を確実に排除できない問題があった。
【０００６】
しかも、フィルターを洗浄する際には、フィルターをフィルター槽等から取り外したり、再び敷設したりするのであるが、フィルターはマット形態で変形し難いため、非常に嵩張り取り扱いが不便となり、フィルターの洗浄が困難であった。
【０００７】
本発明は、フィルターにより排除すべき汚泥を、漏洩することなく確実に排除することができるとともに、そのフィルターの洗浄を容易行なえることを課題とする。
【課題を解決するための手段】
【０００８】
本発明は、前記課題を解決するためになされたもので、その特徴は、水槽と、該水槽内に貯留された水をろ過するろ過槽とが水槽装置本体に設けられ、前記ろ過槽よりも上流位置にフィルターが設けられ、前記水槽内に貯留された水を、前記フィルターおよびろ過槽を通過させて処理した後に水槽内に循環するように構成した活魚水槽装置において、前記水槽装置本体には、前記ろ過槽内に連通する流水部が設けられ、前記フィルターは、前記流水部に着脱自在に取り付けられ且つ流入開口を有する取付部と、該取付部に開口縁部が固定され且つ可撓性を有する袋状のフィルター本体とを備えることにある。
【０００９】
そして、前記水槽内の水は、流水部を通ってフィルター内に流入する。流水に混在している大きい汚泥は、このフィルターの袋状のフィルター本体で除去され、水はろ過槽を通過して、再び水槽に循環する。従って、大きい汚泥は、フィルターで確実に除去することができるとともに、フィルターの洗浄に際しては、取付部を流水部に着脱することにより、嵩張ることなく容易に洗浄することができる。
【００１０】
本発明は、水槽と、該水槽内に連通する泡沫分離槽と、該泡沫分離槽で処理された水をろ過するろ過槽と、ろ過した水を再び前記水槽に循環させるポンプ槽と、循環する水を殺菌する殺菌槽とを備え、前記ろ過槽よりも上流位置にフィルターが設けられ、前記水槽内に貯留された水を、前記フィルターおよびろ過槽を通過させて処理した後に水槽内に循環するように構成した活魚水槽装置において、前記泡沫分離槽と前記ろ過槽とは、隔壁で区画されており、該隔壁には、前記泡沫分離槽と前記ろ過槽とを連通し且つ前記泡沫分離槽内の水をろ過槽内に流入させるろ過槽流入口が形成されるとともに、該ろ過槽流入口に連通する筒状の流水部が設けられ、前記フィルターは、前記流水部に着脱自在に取り付けられ且つ流入開口を有する取付部と、該取付部に開口縁部が固定され且つ可撓性を有する袋状のフィルター本体とを備えることにある。
【００１１】
そして、前記水槽内の水は、泡沫分離槽で汚泥が分離処理された後に、ろ過槽流入口および流水部を通ってフィルター内に流入する。分離処理されず流水に混在している大きい汚泥は、このフィルターの袋状のフィルター本体で除去され、水はろ過槽を通過して、再び水槽に循環する。従って、大きい汚泥は、フィルターで確実に除去することができるとともに、フィルターの洗浄に際しては、取付部を流水部に着脱することにより、嵩張ることなく容易に洗浄することができる。
【００１２】
本発明は、水槽内に貯留された水を、ろ過槽を通過させて処理した後に水槽内に循環するように構成した活魚水槽装置に使用されるフィルターであって、前記活魚水槽装置のろ過槽よりも上流位置に設けられた流水部に着脱自在に取り付け可能で且つ流入開口を有する取付部と、該取付部に開口縁部が固定され且つ可撓性を有する袋状のフィルター本体とを備えることにある。
【発明の効果】
【００１３】
本発明は、フィルターが袋状であるため、循環水はこのフィルターを通過することとなり、循環水に混在する汚泥を漏洩することなく確実に排除することができる。しかも、フィルターは着脱自在であり、そのフィルター本体は可撓性を有する袋状であるため、取り扱いが便利で、そのフィルターの洗浄を容易行なえる。
【発明を実施するための最良の形態】
【００１４】
以下、本発明に係る活魚水槽装置の実施の形態について、図面を参照しながら説明する。図１〜図９は、本発明の一実施の形態を示す。
【００１５】
図６〜図８において、活魚水槽装置１は、生きた魚等を数日間一時的にストックさせておくもので、平面視矩形状を呈するとともに断熱性を有する水槽装置本体７を備えている。水槽装置本体７は、前後側壁１１、１２と、左右側壁１３、１４と、底壁１５とからなる。この水槽装置本体７は、水槽２、泡沫分離槽３、ろ過槽４、ポンプ槽５および殺菌槽６に区画されている。なお、泡沫分離槽３、ろ過槽４、ポンプ槽５および殺菌槽６は、水槽装置本体７の長手方向の一方側（図６に示す右側）に配置されており、水処理槽を構成している。
【００１６】
水槽２と泡沫分離槽３とは、図４および図６に示すように水槽装置本体７の前後側壁１１、１２間にわたって設けられた隔壁３１で区画されており、その隔壁３１の下部には、水槽２と泡沫分離槽３と連通する開口（下水流出スリット）３２が形成されている。従って、水槽２内の海水は、この下水流出スリット３２を介して泡沫分離槽３内に流入するようになっている。なお、この下水流出スリット３２は、水槽装置本体７の前側壁１１の近傍に形成されている。
【００１７】
泡沫分離槽３の上部には、図５（ａ）に示すように泡沫分離カバー３０が設けられ、泡沫分離カバー３０の一方が泡沫分離槽３内に向けて傾斜しており、泡沫分離槽３内に貯留されている海水内に望むようになっている。泡沫分離槽３の底部には、泡沫分離分散器３４が設けられている。泡沫分離分散器３４は、水槽装置本体７に架設された機械台８に設置されたエアーポンプ（ブロワー）３３により、空気を送り微細な気泡を発生させるものである。
【００１８】
泡沫分離カバー３０には、泡沫分離分散器３４により発生し泡沫分離槽３の上部に蓄積された汚泥の気泡３５を外部に流出させる汚泥排出管３６が連結されている。
【００１９】
隔壁３１の上部には、水槽２内の上水を泡沫分離槽３に流入させる上水取装置３７が設けられている。この上水取装置３７は、隔壁３１の上部を切り欠いて形成した開口３８部に取り付けられる取付体３７ｂと、この取付体３７ｂに一対のアーム３９を介して揺動自在に設けられたフロート３７ａとから構成されている。
【００２０】
取付体３７ｂは、左右一対の側壁３７ｃ、３７ｃと、両方の側壁３７ｃ、３７ｃの一端を連結する基壁３７ｄとからなる。基壁３７ｄには、海水が通過する開口３７ｅが形成されている。フロート３７ａは、円柱状を呈しており、両方の側壁３７ｃ、３７ｃ間に位置するとともに、その端面が側壁３７ｃ、３７ｃに近接する長さに設定されている。そして、このフロート３７ａが水槽２内の水面高さに応じて上下に移動することにより、汚泥の泡と上水を泡沫分離槽３に優先的に吸い込むことができる。
【００２１】
フロート３７ａは、浮力により水面近傍を浮遊するようになっており、水位が変化しても、上水を常時吸水することができる。このように、水槽２内の底水と上水とを泡沫分離槽３に取り入れることにより、一箇所で最終的に効率よく処理することができる。
【００２２】
泡沫分離槽３とろ過槽４とは、水槽装置本体７の前後側壁１１、１２間にわたって設けられた隔壁４０で区画されている。隔壁４０には、泡沫分離槽３とろ過槽４とを連通するろ過槽流入口４１が形成されている。
【００２３】
ろ過槽４は、その内部の下方に通水する各種形状の通孔を設けた多孔板４２が敷設されている。この多孔板４２の上面には、砂等の各種のろ材４３が積層して収容されている。
【００２４】
また、隔壁４０には、図１〜図４に示す如く、ろ過槽流入口４１に連通する筒状体からなる流水部（ベンチレータボックス）４４がろ過槽４内に望むように設けられている。ベンチレータボックス４４は断面形状が略扁平状を呈しており、隔壁４０と平行な方向に長くなっている。ベンチレータボックス４４は、隔壁のろ過槽流入口４１に挿通され隔壁４０に固定される基部４４ａと、この基部４４ａから上方に湾曲するフィルター取付部４４ｂとからなる。なお、基部４４ａの端部には、隔壁４０に固定されるフランジ４４ｃが設けられている。
【００２５】
ベンチレータボックス４４には、ろ過槽４よりも上流に位置するフィルター４５が着脱自在に取り付けられている。フィルター４５は、袋状に形成されたフィルター本体４５ａと、このフィルター本体４５ａの開口縁部４５ｂに取り付けられた取付部４５ｃとからなる。なお、フィルター本体４５ａの開口縁部４５ｂは、取付部４５ｃにバンド４５ｄで密着して取り付けられている。
【００２６】
フィルター本体４５ａは、可撓性を有する合成樹脂製のネットからなり、袋の大きさおよび網目の大きさは、適宜設定可能である。網目は、例えば、一辺が０．５ｍｍ、１．０ｍｍまたは２．００ｍｍ程度の矩形状のものである。
【００２７】
取付部４５ｃは、合成樹脂で流入開口を有する筒状に成形されたもので、その流入開口の内面は、ベンチレータボックス４４のフィルター取付部４４ｂの外周面の形状と略同等形状の嵌合面となっている。したがって、取付部４５ｃはフィルター取付部４４ｂに外嵌することで着脱自在に固定することができる。また、取付部４５ｃはフィルター取付部４４ｂとの摩擦力に抗して抜くことができる。このフィルター４５はろ材４３の上方に位置する。
【００２８】
なお、４９は、ろ過槽流入口４１の前方に位置するように、隔壁４０の泡沫分離槽３側に設けられた案内板で、隔壁４０との間で所定の間隔を有し、その下端は隔壁４０との間で開口を形成している。従って、海水は案内板４９と隔壁４０との間を上方に流れてろ過槽流入口４１に入るようになっている。
【００２９】
ろ過槽４の底部と多孔板４２との間で形成される空間４７が、隣接するポンプ槽５に連通されており、ろ材４３でろ過された海水は、空間４７を流れてポンプ槽５に流入するようになっている。また、空間４７内には、洗浄用空気配管４６が設けられ、この洗浄用空気配管４６は、前記ブロワー３３または別途設置される図示省略の専用ブロワーから圧送される空気により、ろ材４３を浮遊させて洗浄するものである。
【００３０】
ポンプ槽５には、その内部に海水を吸上げる縦型の軸流ポンプからなる循環ポンプ５０が設けられている。また、機械台８には、クラー５１およびヒーター（図示省略）の少なくとも一方が設置されている。
【００３１】
機械台８には、ブロワー３３、循環ポンプ５０およびクラー５１（またはヒーター）を制御する制御装置５５が設けられている。そして、ポンプ槽５内の海水は、クラー５１により冷却されるか、あるいはヒーターにより加熱されて設定水温を維持するように制御されている。循環ポンプ５０の流出口部５１は、ＵＶ殺菌槽６に向かって延設配管されており、ポンプ槽５内の海水は、循環ポンプ５０によりＵＶ殺菌槽６に流入するようになっている。
【００３２】
殺菌槽６には、図９に示すようにＵＶランプ６０を備えた殺菌装置６１が設けられている。殺菌槽６は、前記隔壁３１で水槽２と区画されているとともに、長尺状の送水管２０を介して前記水槽２と連通されている。
【００３３】
送水管２０は、後側壁１２の内面上部でかつ水槽装置本体７の長手方向に沿って取り付けられている。なお、送水管２０の高さ位置は、特に限定されるものではないが、水槽２内に貯留された海水に浸漬する高さに設定する。
【００３４】
送水管２０の一端は殺菌槽６と連通するとともに、他端は左側壁１４に当接または接近して閉塞されており、水槽２の長手方向（左右方向）の全長にわたって送水路が構成されている。送水管２０の他端部には、図６に示すように排水口２１が形成され、この排水口２１は、前記下水流出スリット３２に対して水槽２の平面視略対角線上に設けられている。また、排水口２１は海水の上部に位置し、下水流出スリット３２は、海水の底部に位置するため、水槽２内の海水を効果的に対流させることができる。
【００３５】
本実施の形態の活魚水槽装置１は、以上の構成からなり、次にその装置の作用について説明する。
【００３６】
先ず、循環ポンプ５０を始動してポンプ槽５内の海水を殺菌槽６に注入する。このポンプ槽５内の海水は、クラー５１またはヒーターにより、設定水温（例えば略１８℃）に冷却または加熱され維持されている。
【００３７】
殺菌槽６の内部において流水中に浮遊するバクテリア、細菌及びその他の微生物を効率的に死滅させ処理する。処理され且つ設定水温に維持された海水は殺菌槽６の上部より送水管２０に流入する。この送水管２０は、断熱性を有する水槽２内の海水に浸漬されていることから、外気温度の影響を受けることはなく、熱ロスのおそれがない。
【００３８】
送水管２０を通った海水は、排出口２１から水槽２内に排出される。水槽２内の海水は、水槽２の底部にある下水流出スリット３２を介して泡沫分離槽３に流入する。このとき、水槽２の底部に沈んでいる汚泥も海水とともに泡沫分離槽３に流入することとなる。また、上水取装置３７により水槽２の水面の汚泥の泡３５ａと上水が、優先的に泡沫分離槽３に吸い込まれる。
【００３９】
泡沫分離槽３において、泡沫分離分散器３４により気泡が発生し、底水とともに流入した汚泥と、上水とともに流入した汚泥とを気泡で吸着し水面に浮遊させる。泡沫分離槽３の上部に蓄積された汚泥の気泡３５を汚泥排出管３６が外部に流出させる。
【００４０】
泡沫分離槽３内の海水に混在する大きい固形状の汚泥は、泡沫分離分散器３４から発生する気泡により海水の略中間を浮遊する。泡沫分離槽３内の海水は、ろ過槽流入口４１およびベンチレータボックス４４を通って、フィルター４５に入る。このように、泡沫分離槽３からろ過槽４に入る海水は、全てがフィルター４５を通過するため、かかるフィルター４５でろ過されることなり、固形状の大きな汚泥は、ベンチレータボックス４４を通過してフィルター４５によって排除される。この汚泥が排除された海水は、次のろ過槽４の上部より、内部のろ材４３及び多孔板４２にろ過され、ポンプ槽５に流入する。設定水温に制御された海水は、再びろ過工程、殺菌工程を経て循環する。
【００４１】
以上のように、本実施の形態に係る活魚水槽装置１は、水槽２内の底水と上水とを泡沫分離槽３に取り入れることにより、水槽２内の汚泥を泡沫分離槽３の一箇所で効率よく最終的に処理することができる。
【００４２】
また、フィルター４５に溜まった汚泥を廃棄する場合には、フィルター４５の取付部４５ｃを把持し、その取付部４５ｃを上方に引く抜くことにより、フィルター４５全体をワンタッチで取外すことができる。また、フィルター４５のフィルター本体４５ａは可撓性を有する袋状のメッシュからなるため、適宜大きさに畳んだりして変形でき、取り扱いが便利である。フィルター４５は、洗浄の際には、フィルター本体４５ａを適宜持ち上げたり、裏返したりして、蓄積された汚泥を取付部４５ｃから容易に廃棄でき、洗浄も簡単である。
【００４３】
洗浄したフィルター４５は、取付部４５ｃをベンチレータボックス４４に上方から押し込んで簡単に装着できる。
【００４４】
本発明は、前記実施の形態に限定されるものではない。図１０（ａ）および（ｂ）に示すように、フィルター４５の取付部４５ｃの内周面上部に、ストパー部４５ｆを突設し、このストパー部４５ｆをベンチレータボックス４４のフィルター取付部４４ｂに上方から当接させることにより、取付部４５ｃの嵌合時の位置決めをすることができる。なお、ストパー部４５ｆは、取付部４５ｃの周方向に断続的に設けても、全周にわたって連続して設けてもよい。
【００４５】
しかも、取付部４５ｃの内周面下部に、フィルター取付部４４ｂに形成された溝部４４ｄに係合する凸部４５ｇを設けてもよい。また、フィルター取付部４４ｂに凸部を設け、取付部４５ｃに溝部を設けてもよい。
【００４６】
水槽２には、海水以外に通常の水であってもよく、水槽２に入れられる魚等の種類により適宜決定される。
【図面の簡単な説明】
【００４７】
【図１】本発明の一実施の形態に係る活魚水槽装置のフィルターを取り付けた状態の断面斜視図である。
【図２】同活魚水槽装置のフィルターを取り外した状態の断面斜視図である。
【図３】同活魚水槽装置の要部の概略を示す平面図である。
【図４】図５（ａ）におけるＣ−Ｃ線断面図である。
【図５】（ａ）は本発明の一実施の形態に係る活魚水槽装置の断面側面図、（ｂ）は（ａ）におけるＢ−Ｂ線断面図である。
【図６】本発明の一実施の形態に係る活魚水槽装置の全体概略平面図である。
【図７】同活魚水槽装置の全体概略正面図である。
【図８】同活魚水槽装置の全体概略側面図である。
【図９】図７におけるＡ−Ａ線断面図である。
【図１０】本発明の他の実施の形態を示し、（ａ）はフィルターの断面斜視図、（ｂ）は、図１に対応する断面斜視図である。
【符号の説明】
【００４８】
１      活魚水槽システム
２      水槽
３      泡沫分離槽
４      ろ過槽
５      ポンプ槽
６      殺菌槽
７      水槽装置本体
２０    送水管
３１    隔壁
３２    下水流出スリット（開口）
３７    上水取装置
３７ａ  フロート
３９    アーム
４０    隔壁
４１    ろ過槽流入口
４４    ベンチレータボックス（流水部）
４５    フィルター
４５ａ  フィルター本体
４５ｂ  開口縁部
４５ｃ  取付部
【図１】
2009011192.tif 000003
【図２】
2009011192.tif 000004
【図３】
2009011192.tif 000005
【図４】
2009011192.tif 000006
【図５】
2009011192.tif 000007
【図６】
2009011192.tif 000008
【図７】
2009011192.tif 000009
【図８】
2009011192.tif 000010
【図９】
2009011192.tif 000011
【図１０】
2009011192.tif 000012